(57)【要約】【課題】伸縮支柱上端に装着した照明装置を前後方向へ回動させる際、該照明装置が自身の重みで急激に回動してしまうような虞れのない、安全性に優れた新規な投光機を提供する。【解決手段】伸縮支柱３の上端に設けた角度調整ユニットａにより、照明装置４を前後方向と左右方向へ回動自在に支持する。角度調整ユニットａは、回動を付勢するばね１２，１３を備え、これら両ばね１２，１３の弾発力をほぼ同等として、照明装置４の前後方向への回動を緩衝し、照明装置４の重みによる急激な回動を防止する。【選択図】　図８
2004127903.tif 000002
【特許請求の範囲】
【請求項１】
発電機（１，１’）から供給される電力で発光する照明装置（４）を伸縮支柱（３，３’）に装備してなる投光機であって、前記伸縮支柱上端に取り付けた角度調整ユニット（ａ）により前記照明装置を少なくとも前後方向へ回動自在に支持してなり、
前記角度調整ユニット（ａ）は、伸縮支柱側に取り付けられて前後方向への回動中心となる第一の支軸（１０）と、該第一の支軸に回動自在に外装され前後方向へ回動自在に支持される筒部材（１１）と、該筒部材の前方への回動を付勢する前側付勢部材（１２）と、前記筒部材の後方への回動を付勢する後側付勢部材（１３）と、前記筒部材と前記照明装置を連結する連結部材（１４）を備え、
前記前側と後側の付勢部材（１２，１３）の付勢力をほぼ同等とし、これら付勢部材により前記照明装置（４）の前後方向への回動を緩衝するよう形成した投光機。
【請求項２】
前記伸縮支柱（３）の上端に、左右方向への回動中心となる第二の支軸（１５）を設け、該第二の支軸により前記第一の支軸（１０）と筒部材（１１）を左右方向へ回動自在に支持して、前記照明装置（４）を左右方向へも回動自在に形成した請求項１記載の投光機。
【請求項３】
前記伸縮支柱（３）が、発電機（１）を搭載する台車（２）上に立設されている請求項１または２記載の投光機。
【請求項４】
前記照明装置（４）が、バルーン（５）内に、電球（６）と、該電球を保持する保持枠（７）と、前記バルーンを膨らませるためのバルーン膨張手段（８）を備えたバルーン型の照明装置である請求項１〜３の何れか１項記載の投光機。
【発明の詳細な説明】
【０００１】
【発明の属する技術分野】
本発明は、例えば工事現場、競技用グランド、キャンプ場や各種イベント会場等の照明として使用される投光機に関し、詳しくは、伸縮支柱の上端に装備した照明装置の角度調整機構の改良に関する。
【０００２】
【従来の技術】
従来、例えば特許文献１に開示されるように、発電機を搭載する台車に立設した伸縮支柱の上端に、電球の光を反射器により前方へ向けて照射するスポット型の照明装置を所要数装備した投光機が知られている。
【０００３】
また本願出願人は、特許文献２に開示されるように、眩しさを感じさせることなく、且つ、光を広い範囲に照射することができるバルーン型の照明装置を備えた新規な投光機を先に提供した。
【０００４】
さらに本願出願人は、特許文献３に記載されるように、前記バルーン型の照明装置と、該照明装置に電力を供給する発電機と、前記照明装置が上端に装備された自立式の伸縮支柱からなる組み立て・分解可能な簡易型の投光機を先に提案した。
【０００５】
【特許文献１】
特開平８−１７５３９２号公報
【特許文献２】
特開２００３−３６７０９号公報
【特許文献３】
特許第３０９２４５３号（実願２００２−５４７６号）
【０００６】
これら特許文献に記載される投光機は、伸縮支柱を伸張させることで照明装置の高さを任意に設定する一方、伸縮支柱を収縮させたコンパクトな状態で搬送、保管をするようになっている。
【０００７】
【発明が解決しようとする課題】
ところで、この種投光機は、伸縮支柱の上端に照明装置を前後，左右方向へ回動自在に取り付けて、投光角度を任意に調整し得ると共に、搬送，保管の際には照明装置が伸縮支柱に対して前方へ略９０度折れ曲がる状態にして、よりコンパクトな状態で搬送，保管がなされるようになっている。
しかしながら、照明装置は相当の重量物であるため、前後方向へ回動操作した場合、その重みで急激に回動してしまう虞れがある。
【０００８】
本発明はこの様な従来事情に鑑みてなされたもので、その目的とする処は、伸縮支柱上端に装着した照明装置を前後方向へ回動させる際、該照明装置が自身の重みで急激に回動してしまうような虞れのない、安全性に優れた新規な投光機を提供することにある。
【０００９】
【課題を解決するための手段】
以上の目的を達成するために本発明は、発電機（１，１’）から供給される電力で発光する照明装置（４）を伸縮支柱（３，３’）に装備してなる投光機であって、前記伸縮支柱上端に取り付けた角度調整ユニット（ａ）により前記照明装置を少なくとも前後方向へ回動自在に支持してなり、
前記角度調整ユニット（ａ）は、伸縮支柱側に取り付けられて前後方向への回動中心となる第一の支軸（１０）と、該第一の支軸に回動自在に外装され前後方向へ回動自在に支持される筒部材（１１）と、該筒部材の前方への回動を付勢する前側付勢部材（１２）と、前記筒部材の後方への回動を付勢する後側付勢部材（１３）と、前記筒部材と前記照明装置を連結する連結部材（１４）を備え、
前記前側と後側の付勢部材（１２，１３）の付勢力をほぼ同等とし、これら付勢部材により前記照明装置（４）の前後方向への回動を緩衝するよう形成したことを特徴とする。
【００１０】
このように形成した場合、照明装置（４）が重量物であったとしても、前後の付勢部材（１２，１３）によって前後方向への回動に対する緩衝作用が働き、該照明装置がその重みで急激に回動してしまうことを防止することができる。
【００１１】
本発明において、前記伸縮支柱（１，１’）の上端に、左右方向への回動中心となる第二の支軸（１５）を設け、該第二の支軸により前記第一の支軸（１０）と筒部材（１１）を左右方向へ回動自在に支持して、前記照明装置（４）を左右方向へも回動自在に形成することが好ましい。
【００１２】
本発明に係る投光機の具体的態様として、前記伸縮支柱（３）が発電機（１）を搭載する台車（２）上に立設されている投光機をあげることができる。
【００１３】
本発明に係る投光機の具体的態様として、前記伸縮支柱（３’）が自立手段（５０）を有する自立式の伸縮支柱である投光機をあげることができる。
【００１４】
本発明に係る投光機の具体的態様として、前記照明装置（４）が、バルーン（５）内に、電球（６）と、該電球を保持する保持枠（７）と、前記バルーンを膨らませるためのバルーン膨張手段（８）を備えたバルーン型の照明装置である投光機をあげることができる。
【００１５】
また本発明に係る投光機の具体的態様として、前記照明装置が、電球の光を反射器により前方へ向けて照射するスポット型の照明装置である投光機をあげることができる。
【００１６】
【発明の実施の形態】
以下、本発明に係る投光機の実施形態の例を、図面を参照して説明する。
図１には、発電機１を搭載する台車２上に伸縮支柱３を立設すると共に、その伸縮支柱３に照明装置４を装備した投光機Ａを示し、照明装置４は、伸縮支柱３の上端に取り付けた角度調整ユニットａにより前後方向と左右方向へ回動自在に支持されている。
【００１７】
台車２は前後左右に車輪を備えたもので、車体ベースに搭載する発電機１を移動不能に保持する係止手段を備えることが好ましい。
【００１８】
台車２の後部に立設された伸縮支柱３は、基管柱３ａに対して遂次内径を小さくした少なくとも一つ（本例では二つ）の中管柱３ｂ，３ｃを順次上下摺動可能に遊嵌して伸張、収縮自在とすると共に、滑車，ワイヤ，ウインチを組み合わせた昇降手段、或いはガスダンパーなどの昇降手段を内蔵してなり、これら昇降手段の作動で各中管柱３ｂ，３ｃを順次上下摺動させることによってその長さを調節し、照明装置４の高さを適宜に設定し得るように形成されている。
【００１９】
最上位の中管柱３ｃの上端には角度調整ユニットａが取り付けられ、該角度調整ユニットａに、照明装置４が着脱可能に装着されている。
【００２０】
照明装置４は、バルーン５内に、電球６、該電球６を保持する保持枠７、バルーン５を膨らませるための空気吸込み装置（バルーン膨張手段）８などを備えたもので、通電ケーブル９を介して発電機１から供給される電力を電球６と空気吸込み装置８に供給し、バルーン５を膨らませた状態で電球６を点灯して、その照射光をバルーン５を通過させることで眩しさを低減し、且つ、光を広い範囲に照射するよう形成されている。
【００２１】
角度調整ユニットａは、図２〜図８に示すように、伸縮支柱３側に取り付けられて前後方向への回動中心となる第一の支軸１０と、該第一の支軸１０に回動自在に外装され前後方向へ回動自在に支持される筒部材１１と、該筒部材１１の前方への回動を付勢する前側ばね（前側付勢部材）１２と、筒部材１１の後方への回動を付勢する後側ばね（後側付勢部材）１３と、筒部材１１と照明装置４を連結する連結軸（連結部材）１４と、最上位の中管柱３ｃの上端に突設され第一の支軸１０と筒部材１１を左右方向へ回動自在に支持する第二の支軸１５から形成されている。
【００２２】
第一の支軸１０は、略円筒状に形成された軸体の長さ方向中央部分に第二の支軸１５が回動自在に挿入される軸孔１０ａを備え、第二の支軸１５により左右方向へ回動自在に支持されている。
また第一の支軸１０は、前記軸孔１０ａを挟むよう内設された左右の隔壁１０ｂ，１０ｂを有し、これら隔壁１０ｂと周壁１０ｃで区画される凹部１０ｄ，１０ｄを左右両側に備えており、これら凹部１０ｄ内に前側と後側の付勢部材１２，１３が装填されている。
【００２３】
筒部材１１は、第一の支軸１０に回動自在に外装する本体部１１ａの下面に第二の支軸１５が挿入される軸孔１１ｂを備え、第一の支軸１０により前後方向へ回動自在に支持されると共に、第一の支軸１０と一体に左右方向へ回動するようになっている。前記本体部１１ａの上面には、隆起部１１ｃで囲まれる装着孔１１ｄが、前記軸孔１０ａ，１１ｂと同心状に形成されており、該装着孔１１ｄに、筒部材１１と照明装置４を連結する連結軸１４の下端部が螺合等の連結手段で固定されている。
【００２４】
本体部１１ａの周壁には軸方向に沿うスリット２０を形成してその内径を縮小，拡開可能とし、該スリット２０の上縁と下縁に沿って上下の突出部２１ａ，２１ｂを設けると共に、それら突出部２１ａ，２１ｂにはネジ孔２２ａ，２２ｂが同心状に形成されている。
【００２５】
それらネジ孔２２ａ，２２ｂには、ハンドル２３の基端部に設けたネジ部２４が螺合しており、ハンドル２３の正方向への回動操作で突出部２１ａ，２１ｂが近接して本体部１１ａの内径が縮小し、逆方向の回動操作で突出部２１ａ，２１ｂが離間して本体部１１ａの内径が拡開するようになっている。
前記第一の支軸１０の周壁にも軸方向に沿うスリット２５を形成してその内径を縮小，拡開可能としてある。
【００２６】
そうして、前記ハンドル２３を正方向へ回動操作すると本体部１１ａの内径が縮小し、これにより第一の支軸１０と本体部１１ａの摩擦抵抗が高まって筒部材１１の前後方向への回動が規制されると共に、第一の支軸１０の内径も縮小して軸孔１０ａが変形するに伴い、第二の支軸１５と軸孔１０ａの摩擦抵抗が高まって、第一の支軸１０の（筒部材１１の）左右方向への回動が規制されるようになっている。
【００２７】
一方、ハンドル２３を逆方向へ回動操作すると本体部１１ａの内径が拡張し、これにより第一の支軸１０と本体部１１ａの摩擦抵抗が低くなって筒部材１１の前後方向への回動が自在となると共に、第一の支軸１０の内径も拡張して、第一の支軸１０の（筒部材１１の）左右方向への回動が自在となるよう形成されている。
【００２８】
前側と後側の付勢部材１２，１３は所定の弾発力を有するつるまきバネであり、これら付勢部材１２，１３は、凹部１０ｄを塞ぐよう筒部材１１にビス止め３０された蓋部材３１の裏面に突出する軸３２に巻装すると共に、一端１２ａ，１３ａを第一の支軸１０に係止し、他端１２ｂ，１３ｂを筒部材１１の係合壁１１ｅに係止して、第一の支軸１０の左右両側の凹部１０ｄ内に収容されている。
【００２９】
前側と後側の付勢部材１２，１３はその付勢力（弾発力）がほぼ同等であり、前側付勢部材１２により筒部材１１の前方への回動を付勢し、後側付勢部材１３により筒部材１１の後方への回動を付勢すると共に、それら付勢力をほぼ均等のものとして、筒部材１１の（照明装置４の）前後方向への回動を緩衝するようになっている。
【００３０】
第二の支軸１５には、第一の支軸１０にネジ止めしたボルト３３の先端が係合して第一の支軸１０の抜けを防止する係合溝３４が周設されると共に、その係合溝３４には回り止めビス３５をネジ止めし、係合溝３４内に突出するビス頭３６とボルト３３先端の係合により、第一の支軸１０と筒部材１１の（照明装置４の）水平方向への回動範囲を適宜に規制するようになっている。
【００３１】
さらに、筒部材１１の本体部１１ａの周壁には、第二の支軸１５に係合して、筒部材１１の（照明装置４の）前後方向への回動範囲を、連結軸１４がほぼ垂直に立ち上がる位置に規制する面４１と、第二の支軸１５の下端に嵌合したカラー４０に係合して、連結軸１４がほぼ水平に倒れた位置の範囲（約９０度の範囲）に規制する面４２との間にわたって溝４３が形成されている。
【００３２】
連結軸１４は、下端に設けたねじ部１４ａを装着孔１１ｄに螺合させて筒部材１１に取り付けられると共に、上端部に、照明装置４の保持枠７の下面板７ａに固定した筒部７ｂを外装しネジ止め４４して、筒部材１１と照明装置４を連結している。
【００３３】
以上のように構成した本例の投光機Ａは、伸縮支柱３を伸張させて照明装置４を適宜高さに設置し、且つ発電機１の作動でバルーン５を膨らませると共に電球６を点灯させ、その光をバルーン５を通して柔らかな光に変えて、バルーン５の外側全周方向に対し投光することができるので、眩しさを感じさせることなく、光を広い範囲に照射することができる（図１参照）。
【００３４】
また、バルーン５の外周に遮光シートを張るなどして投光範囲を限定した場合は、角度調整ユニットａによりその投光方向，投光角度を適宜に調整することができる。
すなわち、ハンドル２３の操作で筒部材１１の本体部１１ａと第一の支軸１０の内径を拡張させることで、筒部材１１の前後方向と左右方向への回動を自在として、照明装置４を適宜角度に位置させ、その後、ハンドル２３の操作で筒部材１１の本体部１１ａと第一の支軸１０の内径を縮小させることで、筒部材１１の前後方向と左右方向への回動を規制（ロック）して、照明装置４の投光方向，投光角度を任意に設定することができる（図６，図７参照）。
【００３５】
工事現場等において照明場所を変える際には、台車２により発電機１、伸縮柱３、照明装置４を一緒に移動することができるので、取扱いが容易であると共に任意の場所に設置できる。
【００３６】
投光作業終了後は、伸縮支柱３を収縮させ、且つ発電機１を停止してバルーン５を収縮させると共に電球６を消灯し、さらに、角度調整ユニットａにより連結軸１４を９０度倒して、照明装置４が台車２に搭載した発電機１の上方に位置するコンパクトな状態で、搬送，保管を行うことができる（図９参照）。
【００３７】
前記した角度調整作業の際、照明装置４がその重みで急激に前後方向へ回動しようとしても、前後の付勢部材１２，１３によって前後方向への回動に対する緩衝作用が働き、安全に作業を行うことができる。
【００３８】
図１０には、前記台車２を備えず、自立手段５０を備えた自立式の伸縮支柱３’により照明装置４を支持する投光機Ａ’を示す。それ以外の構成部分は前記投光機Ａと同様のため、重複する説明、図示や省略し、相違点のみ以下に述べる。
【００３９】
この例の伸縮支柱３’は、基管柱３ａ’に対して遂次内径を小さくした少なくとも一つ（この例では二つ）の中管柱３ｂ’，３ｃ’を順次上下摺動可能に遊嵌して伸張、収縮自在とすると共に、基管柱３ａ’の上端開口部、中管柱３ｂ’の上端開口部に、各開口部の径を縮径させるべくその開口部に螺合するカラー部材６０を装着し、各中管柱３ｂ’，３ｃ’の摺動を規制し得るようにして、その長さ（高さ）を任意に調整できるよう形成されている。
【００４０】
自立手段５０は、基管柱３ａ’の下部に所要数（この例では三つ）の接地板５１を等間隔ごとに装着したもので、夫々の接地板５１は、基管柱３ａ’に沿って立ち上がる折り畳み位置と、接地面に沿って横たわる使用位置との間を回動自在となるよう、支軸５２により基管柱３ａ’に枢着して折り畳み自在に取り付けられている。
５３は使用位置にある接地板５１の回動を規制するリンク杆で、その両端部を基管柱３ａ’の下部、接地板５１の中間部にそれぞれ枢着５４ａ，５４ｂされている。
【００４１】
このような構成になるこの例の投光機Ａ’は、各接地板５１を開いた状態で伸縮支柱３’を自立させ、伸縮支柱３’を伸張させてその長さを任意に調節することで照明装置４を適宜高さに位置させ、小型の発電機１’から供給される電力でバルーン５を膨らませると共に電球６を点灯して、眩しさを低減させた光を広い範囲に照射することができる。
また、前記した投光機Ａと同様にして、角度調整ユニットａによりその投光方向，投光角度を適宜に調整することができる。
【００４２】
使用後は、伸縮支柱３’を収縮させ、且つ発電機１’を停止してバルーン５を収縮させると共に電球６を消灯し、さらに、角度調整ユニットａにより連結軸１４を９０度倒して、照明装置４が折り畳まれたコンパクトな状態で、専用のケースに収容するなどして搬送，保管を行うことができる。
【００４３】
因みに、図１に示す投光機Ａは主に、幹線道路や高速道路での夜間工事等の比較的高出力の明かりが要求される現場で使用され、図１０に示す投光機Ａ’は主に、比較的低出力の明かりが要求される現場で使用される。
【００４４】
尚、本発明に係る投光機おいて、照明装置４は図示したバルーン型のものに限定されず、電球の光を反射器により前方へ向けて照射するスポット型の照明装置であってもよく、また電球の数も任意である。またバルーン型の照明装置において、バルーンの形状は図示例に限定されず、略横長太鼓形状、略円錐台形状、逆円錐台形状のものや、人形、動物、建築物、キャラクター等の各種形状のものとしても良い。
【００４５】
以上、本発明に係る投光機の実施形態の例を図面を参照して説明したが、本発明は図示例に限定されるものではなく、特許請求の範囲の各請求項に記載された技術的思想の範疇において各種の変更が可能であることは言うまでもない。
【００４６】
【発明の効果】
本発明は以上説明したように構成したので、以下に記載されるような効果を奏する。
（請求項１）
照明装置（４）が重量物であったとしても、前後の付勢部材（１２，１３）によって前後方向への回動に対する緩衝作用が働き、該照明装置がその重みで急激に回動してしまうことを防止して、安全に作業することができる。
【００４７】
（請求項２）
前記効果に加え、筒部材（１１）を左右方向へ回動自在に支持することで、照明装置（４）の左右方向への回動も自在とし、投光角度、投光範囲などをより幅広く調整することができる。
【００４８】
（請求項３）
前記効果に加え、台車（２）により発電機（１）、伸縮柱（３）、照明装置（４）を一緒に移動することができるので、取扱いが容易であると共に任意の場所に設置できるなどの効果がある。
【００４９】
（請求項４）
前記効果に加え、電球（６）を点灯させ、その光をバルーン（５）を通して柔らかな光に変えて、バルーン（５）の外側全周方向に対し投光することができるので、眩しさを感じさせることなく、光を広い範囲に照射することができるなどの効果がある。
【図面の簡単な説明】
【図１】本発明に係る投光機の実施形態の一例を示す斜視図で、使用状態を表す。
【図２】図１に示す投光機の角度調整ユニットの拡大斜視図。
【図３】（イ）同角度調整ユニットの正面図、（ロ）同角度調整ユニットの縦断正面図。
【図４】同角度調整ユニットの縦断側面図。
【図５】同角度調整ユニットの横断平面図。
【図６】同角度調整ユニットの前後方向への回動状態を示す一部切欠側面図で、（イ）はほぼ垂直に立ち上がる状態、（ロ）はほぼ水平に倒れた状態を表す。
【図７】同角度調整ユニットの前後方向への回動状態を示す斜視図。
【図８】同角度調整ユニットの分解斜視図。
【図９】図１に示す投光機の収容状態を示す側面図。
【図１０】本発明に係る投光機の実施形態の他例を示す斜視図。
【符号の説明】
Ａ，Ａ’：投光機
１，１’：発電機
２：台車
３，３’：伸縮支柱
４：照明装置
５：バルーン
６：電球
７：保持枠
８：バルーン膨張手段
ａ：角度調整ユニット
１０：第一の支軸
１１：筒部材
１２：前側ばね（前側付勢部材）
１３：後側ばね（後側付勢部材）
１４：連結軸（連結部材）
１５：第二の支軸
【図１】
2004127903.tif 000003
【図２】
2004127903.tif 000004
【図３】
2004127903.tif 000005
【図４】
2004127903.tif 000006
【図５】
2004127903.tif 000007
【図６】
2004127903.tif 000008
【図７】
2004127903.tif 000009
【図８】
2004127903.tif 000010
【図９】
2004127903.tif 000011
【図１０】
2004127903.tif 000012
【手続補正書】
【提出日】平成15年12月16日(2003.12.16)
【手続補正１】
【補正対象書類名】明細書
【補正対象項目名】請求項１
【補正方法】変更
【補正の内容】
【請求項１】
発電機（１，１´）から供給される電力で発光する照明装置（４）を伸縮支柱（３，３´）に装備してなる投光機であって、前記伸縮支柱上端に取り付けた角度調整ユニット（ａ）により前記照明装置を少なくとも前後方向へ回動自在に支持してなり、
前記角度調整ユニット（ａ）は、伸縮支柱側に取り付けられて前後方向への回動中心となる第一の支軸（１０）と、該第一の支軸に回動自在に外装され前後方向へ回動自在に支持される筒部材（１１）と、該筒部材の回動を付勢する付勢部材（１２，１３）と、前記筒部材と前記照明装置を連結する連結部材（１４）を備え、
前記付勢部材により前記照明装置（４）の回動を緩衝するよう形成した投光機。
【手続補正２】
【補正対象書類名】明細書
【補正対象項目名】０００９
【補正方法】変更
【補正の内容】
【０００９】
【課題を解決するための手段】
以上の目的を達成するために本発明は、発電機（１，１´）から供給される電力で発光する照明装置（４）を伸縮支柱（３，３´）に装備してなる投光機であって、前記伸縮支柱上端に取り付けた角度調整ユニット（ａ）により前記照明装置を少なくとも前後方向へ回動自在に支持してなり、
前記角度調整ユニット（ａ）は、伸縮支柱側に取り付けられて前後方向への回動中心となる第一の支軸（１０）と、該第一の支軸に回動自在に外装され前後方向へ回動自在に支持される筒部材（１１）と、該筒部材の回動を付勢する付勢部材（１２，１３）と、前記筒部材と前記照明装置を連結する連結部材（１４）を備え、
前記付勢部材により前記照明装置（４）の回動を緩衝するよう形成したことを特徴とする。


【手続補正３】
【補正対象書類名】明細書
【補正対象項目名】００１０
【補正方法】変更
【補正の内容】
【００１０】
このように形成した場合、照明装置（４）が重量物であったとしても、付勢部材（１２，１３）によって前後方向への回動に対する緩衝作用が働き、該照明装置がその重みで急激に回動してしまうことを防止することができる。


【手続補正４】
【補正対象書類名】明細書
【補正対象項目名】００２１
【補正方法】変更
【補正の内容】
【００２１】
角度調整ユニットａは、図２〜図８に示すように、伸縮支柱３側に取り付けられて前後方向への回動中心となる第一の支軸１０と、該第一の支軸１０に回動自在に外装され前後方向へ回動自在に支持される筒部材１１と、該筒部材１１の回動を付勢するばね（付勢部材）１２，１３と、筒部材１１と照明装置４を連結する連結軸（連結部材）１４と、最上位の中管柱３ｃの上端に突設され第一の支軸１０と筒部材１１を左右方向へ回動自在に支持する第二の支軸１５から形成されている。


【手続補正５】
【補正対象書類名】明細書
【補正対象項目名】００２２
【補正方法】変更
【補正の内容】
【００２２】
第一の支軸１０は、略円筒状に形成された軸体の長さ方向中央部分に第二の支軸１５が回動自在に挿入される軸孔１０ａを備え、第二の支軸１５により左右方向へ回動自在に支持されている。
また第一の支軸１０は、前記軸孔１０ａを挟むよう内設された左右の隔壁１０ｂ，１０ｂを有し、これら隔壁１０ｂと周壁１０ｃで区画される凹部１０ｄ，１０ｄを左右両側に備えており、これら凹部１０ｄ内に付勢部材１２，１３が装填されている。


【手続補正６】
【補正対象書類名】明細書
【補正対象項目名】００２８
【補正方法】変更
【補正の内容】
【００２８】
付勢部材１２，１３は所定の弾発力を有するつるまきバネであり、これら付勢部材１２，１３は、凹部１０ｄを塞ぐよう筒部材１１にビス止め３０された蓋部材３１の裏面に突出する軸３２に巻装すると共に、一端１２ａ，１３ａを第一の支軸１０に係止し、他端１２ｂ，１３ｂを筒部材１１の係合壁１１ｅに係止して、第一の支軸１０の左右両側の凹部１０ｄ内に収容されている。


【手続補正７】
【補正対象書類名】明細書
【補正対象項目名】００２９
【補正方法】変更
【補正の内容】
【００２９】
付勢部材１２，１３はその付勢力（弾発力）がほぼ同等であり、筒部材１１の（照明装置４の）前後方向への回動を緩衝するようになっている。


【手続補正８】
【補正対象書類名】明細書
【補正対象項目名】００３７
【補正方法】変更
【補正の内容】
【００３７】
前記した角度調整作業の際、照明装置４がその重みで急激に前後方向へ回動しようとしても、付勢部材１２，１３によって前後方向への回動に対する緩衝作用が働き、安全に作業を行うことができる。


【手続補正９】
【補正対象書類名】明細書
【補正対象項目名】００４６
【補正方法】変更
【補正の内容】
【００４６】
【発明の効果】
本発明は以上説明したように構成したので、以下に記載されるような効果を奏する。
（請求項１）
照明装置（４）が重量物であったとしても、付勢部材（１２，１３）によって前後方向への回動に対する緩衝作用が働き、該照明装置がその重みで急激に回動してしまうことを防止して、安全に作業することができる。


【手続補正１０】
【補正対象書類名】明細書
【補正対象項目名】符号の説明
【補正方法】変更
【補正の内容】
【符号の説明】
【符号の説明】
Ａ，Ａ´：投光機
１，１´：発電機
２：台車
３，３´：伸縮支柱
４：照明装置
５：バルーン
６：電球
７：保持枠
８：バルーン膨張手段
ａ：角度調整ユニット
１０：第一の支軸
１１：筒部材
１２：ばね（付勢部材）
１３：ばね（付勢部材）
１４：連結軸（連結部材）
１５：第二の支軸